(57)【要約】　　　（修正有）【課題】ネットワーク接続された複数の遠隔コンピュータに対して、１回の操作でコマンド制御やファイル転送を行うことができるようにする。【解決手段】中継又は遠隔コンピュータ上で動作する複数の中継＆サーバ装置１は、ソケット通信サーバ機能を有する通信サーバ制御部１１と、クライアント装置０が複数の中継＆サーバ装置１，２を制御するための電文を解析して、中継制御機能、コマンド制御機能又はファイル制御機能へ処理の分配を行う切替制御部１２と、分配された処理に従ってコマンド実行制御を行うコマンド制御部１３と、ファイル内容の読み書きを行うファイル制御部１６と、他の中継＆サーバ装置２とデータの送受信を行うソケット通信クライアント機能を有する通信中継制御部１４とを備える。【選択図】　　　　図１
2004013247.tif 000002
【特許請求の範囲】
【請求項１】
オペレータが操作する操作コンピュータ上で動作し、データの送受信を行うソケット通信機能と遠隔制御機能とファイル制御機能とを有するクライアント装置と、
中継又は遠隔コンピュータ上で動作し、データの送受信を行うソケット通信機能と自コンピュータへのコマンド制御機能とファイル制御機能と他コンピュータへのソケット通信機能を持つ中継制御機能とを有する複数の中継＆サーバ装置とを備え、
クライアント装置と中継＆サーバ装置間、中継＆サーバ装置と中継＆サーバ装置間のソケット通信により中継制御、コマンド制御又はファイル制御するための情報を設定し、その電文を解析して中継制御機能、コマンド制御又はファイル制御機能への分配を行い、複数の中継＆サーバ装置に対してコマンド制御又はファイル転送制御を行うことを特徴とするコンピュータシステム。
【請求項２】
前記中継＆サーバ装置が、ソケット通信サーバ機能を有する通信サーバ制御部と、前記クライアント装置が複数の中継＆サーバ装置を制御するための電文を解析して、中継制御機能、コマンド制御機能又はファイル制御機能へ処理の分配を行う切替制御部と、前記切替制御部で分配された処理に従って自コンピュータでコマンド実行制御を行うコマンド制御部と、ファイル転送のために自コンピュータのファイル内容の読み書きを行うファイル制御部と、遠隔コンピュータ上で動作している他の中継＆サーバ装置とデータの送受信を行うソケット通信クライアント機能を有する通信中継制御部とを備えたことを特徴とする請求項１記載のコンピュータシステム。
【請求項３】
前記電文は転送先情報と、リモート制御情報と、コマンド／ファイル情報とを有することを特徴とする請求項１又は２記載のコンピュータシステム。
【請求項４】
クライアント装置から、通信サーバ制御部と切替制御部とコマンド制御部とファイル制御部と通信中継制御部とを備えた複数の中継＆サーバ装置に対し、リモート制御を行うコンピュータの制御方法であって、
前記切替制御部が、受信した電文を転送先情報とコマンド／ファイル情報とに分解し、前記転送先情報から転送先情報数を取り出し、前記転送先情報数を分解する工程と、
前記転送先情報とコマンド／ファイル情報で転送先ＩＰの中継＆サーバ装置に対する電文を作成し、通信中継制御部を起動して前記中継＆サーバ装置に電文を送信する工程と、
前記工程を前記転送先情報数分だけ繰り返す工程と、
前記転送先情報のリモート制御情報を参照し、前記リモート制御情報がＯＦＦの時はリモート制御を行わず、ＯＮの時は前記コマンド／ファイル情報を参照し、コマンドの時はコマンド制御部を起動してコマンド制御を行い、ファイルの時はファイル制御部を起動してファイル制御を行う工程と
を有することを特徴とするコンピュータの制御方法。
【請求項５】
クライアント装置から複数の中継＆サーバ装置に対しリモート制御を行うためのプログラムであって、
中継＆サーバ装置が受信した電文を転送先情報とコマンド／ファイル情報とに分解し、前記転送先情報から転送先情報数を取り出し、前記転送先情報数を分解する手順と、
前記転送先情報とコマンド／ファイル情報で転送先ＩＰの中継＆サーバ装置に対する電文を作成し、前記中継＆サーバ装置に電文を送信する手順と、
前記手順を前記転送先情報数分だけ繰り返す手順と、
前記転送先情報のリモート制御情報を参照し、前記リモート制御情報がＯＦＦの時はリモート制御を行わず、ＯＮの時は前記コマンド／ファイル情報を参照し、コマンドの時はコマンド制御を行い、ファイルの時はファイル制御を行う手順とを
コンピュータに実行させるためのプログラム。
【発明の詳細な説明】
【０００１】
【発明の属する技術分野】
本発明はコンピュータシステム、コンピュータの制御方法及びプログラムに関するものである。
【０００２】
【従来の技術】
従来、ＴＣＰ／ＩＰを使用したネットワーク上にあるコンピュータからネットワークを通じてピア・ツー・ピア接続できるコンピュータに対して、１対１で遠隔コマンド制御やファイル転送する方法は提供されている。
【０００３】
【発明が解決しようとする課題】
しかしながら、上記した従来技術では、ネットワーク接続された単一のコンピュータに対して、遠隔コマンド制御又はファイル転送は可能であるが、複数の遠隔コンピュータに対しては１回の操作でコマンド制御やファイル転送を行うことができないという問題があった。
【０００４】
【課題を解決するための手段】
上記課題を解決するため、本発明はオペレータが操作する操作コンピュータ上で動作し、データの送受信を行うソケット通信機能と遠隔制御機能とファイル制御機能とを有するクライアント装置と、中継又は遠隔コンピュータ上で動作し、データの送受信を行うソケット通信機能と自コンピュータへのコマンド制御機能とファイル制御機能と他コンピュータへのソケット通信機能を持つ中継制御機能とを有する複数の中継＆サーバ装置とを備え、クライアント装置と中継＆サーバ装置間、中継＆サーバ装置と中継＆サーバ装置間のソケット通信により中継制御、コマンド制御又はファイル制御するための情報を設定し、その電文を解析して中継制御機能、コマンド制御又はファイル制御機能への分配を行い、複数の中継＆サーバ装置に対してコマンド制御又はファイル転送制御を行うようにしたものである。
【０００５】
また、本発明はクライアント装置から、通信サーバ制御部と切替制御部とコマンド制御部とファイル制御部と通信中継制御部とを備えた複数の中継＆サーバ装置に対し、リモート制御を行うコンピュータの制御方法であって、切替制御部は、受信した電文を転送先情報とコマンド／ファイル情報とに分解し、前記転送先情報から転送先情報数を取り出し、前記転送先情報数を分解し、転送先情報とコマンド／ファイル情報で転送先ＩＰの中継＆サーバ装置に対する電文を作成し、通信中継制御部を起動してその中継＆サーバ装置に電文を送信し、この工程を転送先情報数分だけ繰り返し、転送先情報のリモート制御情報を参照し、リモート制御情報がＯＦＦの時はリモート制御を行わず、ＯＮの時はコマンド／ファイル情報を参照し、コマンドの時はコマンド制御部を起動してコマンド制御を行い、ファイルの時はファイル制御部を起動してファイル制御を行うようにしたものである。
【０００６】
なお、本発明においては、リモート制御は、コマンド制御又はファイル制御を総称したものとして使用する。
【０００７】
【発明の実施の形態】
図１は本発明の実施形態を示すブロック図である。
図はクライアントサーバ型のコンピュータシステムを示し、クライアント装置０と中継＆サーバ装置１、中継＆サーバ装置１と中継＆サーバ装置２がそれぞれネットワークで相互接続されている。
【０００８】
クライアント装置０は、オペレータが操作する操作コンピュータ上で動作して、キーボード入力や結果表示などといったオペレータと対話を行う入出力制御部０１と、ファイル転送のためにファイル０２のファイル内容の読み書きなどを行うファイル制御部０３と、中継＆サーバ装置１とデータの送受信を行うソケット通信クライアント機能を持つ通信クライアント装置０４とを備えている。
【０００９】
中継＆サーバ装置１は、中継コンピュータ上で動作して、クライアント装置０又は他の中継＆サーバ装置とデータの送受信を行うソケット通信サーバ機能を持つ通信サーバ制御部１１と、クライアント装置０又は他の中継＆サーバ装置からの電文を解析して処理を振り分ける切替制御部１２と、コマンド制御時に動作して自コンピュータでのコマンド実行制御を行うコマンド制御部１３と、遠隔コンピュータ制御時に動作して他の遠隔コンピュータ上で動作している中継＆サーバ装置２とデータの送受信を行うソケット通信クライアント機能を持つ通信中継制御部１４と、ファイル転送時に動作して自コンピュータのファイル１５のファイル内容の読み書きなどを行うファイル制御部１６とを備えている。
【００１０】
中継＆サーバ装置２は、中継＆サーバ装置１と全く同じ構成をしており、遠隔コンピュータ上で動作して、中継＆サーバ制御部２１と、切替制御部２２と、コマンド制御部２３と、通信中継制御部２４と、ファイル２５を制御するファイル制御部２６を備えている。
【００１１】
図２は送信データの概念を示す図である。
送信データは、クライアント装置が複数の中継＆サーバ装置を制御するために必要な送信情報を示している。
送信データは、転送先ＩＰ（転送先のＩＰアドレスを省略して表示、以下同じ）と、リモート制御情報であるリモート制御フラグと、次転送先情報と、コマンド／ファイル情報であるコマンド／ファイル識別及びコマンド／ファイルデータとを有している。
【００１２】
リモート制御フラグは中継＆サーバ装置がリモート制御対象になるかどうか、即ちコマンド実行先又はファイル転送先になるかどうかを設定したフラグである。
次転送情報は転送先ＩＰとリモート制御フラグと次転送先情報とから成り、転送先サーバ分だけ設定される。
更にそれぞれの次転送情報にも同様の情報が設定され、転送先がない場合はＮＵＬＬが設定される。
【００１３】
コマンド／ファイル職別はコマンド制御か又はファイル転送制御かを設定するもので、コマンド／ファイルデータはコマンド制御又はファイル転送制御するファイル又はコマンドを設定する。
【００１４】
図３は送信電文フォーマットを示す図である。
この電文フォーマットは実際のソケット通信におけるもので、電文サイズＤ−１と、コマンド／ファイル情報オフセットＤ−２と、転送先情報Ｄ−３と、コマンド／ファイル情報Ｄ−４とで構成される。
【００１５】
電文サイズＤ−１は電文のサイズを示すデータ、コマンド／ファイル情報オフセットＤ−２はコマンド／ファイル情報のオフセット値、転送先情報Ｄ−３は転送先ＩＰＤ−５とリモート制御フラグＤ−６と転送先情報数Ｄ−７と転送先情報オフセットＤ−８〜Ｄ−１０及び転送先情報Ｄ−１１〜Ｄ−１３で構成される。コマンド／ファイル情報Ｄ−４はコマンド／ファイル識別Ｄ−１４とコマンド／ファイルデータＤ−１５で構成される。
【００１６】
図４は切替制御部の動作フローを示す図である。
図１のブロック構成と図３の送信電文フォーマットを参照しながら、図４の切替制御部１２の動作フローを説明する。
まず、クライアント装置０の通信クライアント制御部０４から中継＆サーバ装置１の通信サーバ制御部１１に図３で示した電文フォーマットが通信され、通信サーバ制御部１１で受信したその電文をパラメータにして切替制御部１２が起動される。
【００１７】
切替制御部１２は、フローＦ１で電文解析処理として、電文内容を転送先情報Ｄ−３とコマンド／ファイル情報Ｄ−４に分解し、中継＆サーバ装置１の転送先情報Ｄ−３から転送先情報数Ｄ−７を取り出し、「転送先情報１」Ｄ−１１から「転送先情報ｎ」Ｄ−１３の転送先情報を分解する。
フローＦ２で「転送先情報１」Ｄ−１１とコマンド／ファイル情報Ｄ−４の情報で「転送先情報１」Ｄ−１１の転送先ＩＰＤ−５の中継＆サーバ装置２に対する電文を作成して、フローＦ３で中継＆サーバ装置１の通信中継制御部１４を起動する。
通信中継制御部１４はこの電文を中継＆サーバ装置２の通信サーバ制御部２１に送信する。
フローＦ４，Ｆ５で、この処理を転送先情報数Ｄ−７数分、「転送先情報１」Ｄ−１１を「転送先情報２」Ｄ−１２から「転送先情報ｎ」Ｄ−１３まで置き換えて繰り返す。
【００１８】
転送先情報数Ｄ−７分の処理が終了すると、フローＦ６で転送先情報Ｄ−３のリモート制御フラグＤ−６を参照して中継＆サーバ装置１でリモート制御を行うか判断する。
リモート制御フラグＤ−６が「ＯＦＦ」の時は中継＆サーバ装置１でリモート制御は行わないため、切替制御部１２から抜ける。
リモート制御フラグＤ−６が「ＯＮ」の時はフローＦ７でコマンド／ファイル情報Ｄ−４のコマンド／ファイル識別Ｄ−１４を判断する。
コマンド／ファイル識別Ｄ−１４が「コマンド」の時はフローＦ８でコマンド制御部１３を起動して切替制御部１２から抜ける。コマンド制御部１３はコマンド／ファイルデータＤ−１５に設定されたコマンドを実行する。
【００１９】
フローＦ７で、コマンド／ファイル識別Ｄ−１４が「ファイル」の時はフローＦ９でファイル制御部１６を起動して切替制御部１２から抜ける。ファイル制御部１６はコマンド／ファイルデータＤ−１５に設定されたコマンドに基いてファイルの書き込み等を実行する。
同様の処理を中継＆サーバ装置２の切替制御部２２で実施する。
上記した制御動作は手順をコンピュータに実行させるためのプログラムによって実行される。
【００２０】
図５は接続＆リモート制御形態その１を示す図、図６は接続＆リモート制御形態その２を示す図、図７は接続＆リモート制御形態その３を示す図である。
【００２１】
図５に、中継＆サーバ装置１は中継のみを行い、中継＆サーバ装置２と中継＆サーバ装置３はリモート制御を行う例を示す。尚、電文イメージは必要情報のみ記述する。
【００２２】
クライアント装置０は、中継＆サーバ装置１に対して電文Ａを送信する。電文Ａには、中継＆サーバ装置１に対する情報として、転送先ＩＰ１−１に中継＆サーバ装置１のＩＰアドレス「ｘｘｘ．ｘｘｘ．ｘｘｘ．ｘｘｘ」を、リモート制御フラグ１−２にリモート制御を行わないので「ＯＦＦ」を、中継＆サーバ装置１を中継して中継＆サーバ装置２と中継＆サーバ装置３に通信中継制御を行うため、転送先情報数１−３に「２」を設定する。
【００２３】
転送先ＩＰ１−５に中継＆サーバ装置２のＩＰアドレス「ｙｙｙ．ｙｙｙ．ｙｙｙ．ｙｙｙ」を、リモート制御フラグ１−６にリモート制御を行うので「ＯＮ」を、中継＆サーバ装置２は他の中継＆サーバ装置に対しての通信中継制御はしないため、転送先情報数１−７に「０」を設定する。
【００２４】
転送先ＩＰ１−９に中継＆サーバ装置３のＩＰアドレス「ｚｚｚ．ｚｚｚ．ｚｚｚ．ｚｚｚ」を、リモート制御フラグ１−１０にリモート制御を行うので「ＯＮ」を、中継＆サーバ装置３は他の中継＆サーバ装置に対しての通信中継制御はしないため転送先情報１−１１に「０」を設定する。
【００２５】
電文Ａの最後に中継＆サーバ装置２と中継＆サーバ装置３に対するリモート制御内容としてコマンド／ファイル識別１−１２に「コマンド」、コマンド／ファイルデータ１−１３に「ｌｓ」を指定する。
ｌｓとは、ディレクトリ配下にあるファイル又はディレクトリをリスト表示するＵＮＩＸ（登録商標）コマンドである。尚、他のＯＳの場合はリスト表示するコマンドを使用すれば良い。
【００２６】
中継＆サーバ装置１は、クライアント装置０から受信した電文Ａを解析し、電文Ｂを作成して中継＆サーバ装置２に送信し、電文Ｃを作成して中継＆サーバ装置３に送信する。
【００２７】
電文Ｂには、転送先ＩＰ１−５を転送先ＩＰ２−１に、リモート制御フラグ１−６をリモート制御フラグ２−２に、転送先情報数１−７を転送先情報数２−３に、コマンド／ファイル識別１−１２をコマンド／ファイル識別２−４に、コマンド／ファイルデータ１−１３をコマンド／ファイルデータ２−５に設定する。
【００２８】
電文Ｃには、転送先ＩＰ１−９を転送先ＩＰ３−１に、リモート制御フラグ１−１０をリモート制御フラグ３−２に、転送先情報数１−１１を転送先情報数３−３に、コマンド／ファイル識別１−１２をコマンド／ファイル識別を３−４に、コマンド／ファイルデータ１−１３をコマンド／ファイルデータ３−５に設定する。
【００２９】
中継＆サーバ装置２は、中継＆サーバ装置１から受信した電文Ｂを解析し、リモート制御のみが指定されているため、ｌｓコマンドを実施して終了する。
中継＆サーバ装置３は、中継＆サーバ装置１から電文Ｃを解析し、リモート制御のみが指定されているため、ｌｓコマンドを実施して終了する。
【００３０】
図６に、中継＆サーバ装置１は中継とリモート制御を行い、中継＆サーバ装置２と中継＆サーバ装置３はリモート制御を行う例を示す。尚、電文イメージは必要情報のみ記述する。
【００３１】
クライアント装置０は、中継＆サーバ装置１に対して電文Ａを送信する。電文Ａには、中継＆サーバ装置１に対する情報として、転送先ＩＰ１−１に中継＆サーバ装置１のＩＰアドレス「ｘｘｘ．ｘｘｘ．ｘｘｘ．ｘｘｘ」を、リモート制御フラグ１−２にリモート制御を行うので「ＯＮ」を、中継＆サーバ装置１を中継して中継＆サーバ装置２と中継＆サーバ装置３に通信制御を行うため、転送先情報数１−３に「２」を設定する。
【００３２】
転送先ＩＰ１−５に中継＆サーバ装置２のＩＰアドレス「ｙｙｙ．ｙｙｙ．ｙｙｙ．ｙｙｙ」を、リモート制御フラグ１−６にリモート制御を行うので「ＯＮ」を、中継＆サーバ装置２は他の中継＆サーバ装置に対しての通信中継制御はしないため、転送先情報数１−７に「０」を設定する。
【００３３】
転送先ＩＰ１−９に中継＆サーバ装置３のＩＰアドレス「ｚｚｚ．ｚｚｚ．ｚｚｚ．ｚｚｚ」を、リモート制御フラグ１−１０にリモート制御を行うので「ＯＮ」を、中継＆サーバ装置３は他の中継＆サーバ装置に対しての通信中継制御はしないため、転送先情報１−１１に「０」を設定する。
【００３４】
電文Ａの最後に中継＆サーバ装置１と中継＆サーバ装置２と中継＆サーバ装置３に対するリモート制御内容としてコマンド／ファイル識別１−１２に「コマンド」、コマンド／ファイルデータ１−１３に「ｌｓ」を指定する。
【００３５】
中継＆サーバ装置１は、クライアント装置０から受信した電文Ａを解析し、電文Ｂを作成して中継＆サーバ装置２に送信し、電文Ｃを作成して中継＆サーバ装置３に送信し、リモート制御のためｌｓコマンドを実施して終了する。
【００３６】
電文Ｂには、転送先ＩＰ１−５を転送先ＩＰ２−１に、リモート制御フラグ１−６をリモート制御フラグ２−２に、転送先情報数１−７を転送先情報数２−３に、コマンド／ファイル識別１−１２をコマンド／ファイル識別２−４に、コマンド／ファイルデータ１−１３をコマンド／ファイルデータ２−５に設定する。
【００３７】
電文Ｃには、転送先ＩＰ１−９を転送先ＩＰ３−１に、リモート制御フラグ１−１０をリモート制御フラグ３−２に、転送先情報数１−１１を転送先情報数３−３に、コマンド／ファイル識別１−１２をコマンド／ファイル識別３−４に、コマンド／ファイルデータ１−１３をコマンド／ファイルデータ３−５に設定する。
【００３８】
中継＆サーバ装置２は、中継＆サーバ装置１から受信した電文Ｂを解析し、リモート制御のみが指定されているため、ｌｓコマンドを実施して終了する。
【００３９】
中継＆サーバ装置３は、中継＆サーバ装置１から受信した電文Ｃを解折し、リモート制御のみが指定されているため、ｌｓコマンドを実施して終了する。
【００４０】
図７に、中継＆サーバ装置１は中継とリモート制御を行い、中継＆サーバ装置２も中継とリモート制御を行い、中継＆サーバ装置３はリモート制御を行う例を示す。尚、電文イメージは必要情報のみ記述する。
【００４１】
クライアント装置０は、中継＆サーバ装置１に対して電文Ａを送信する。電文Ａには、中継＆サーバ装置１に対する情報として、転送先ＩＰ１−１に中継＆サーバ装置１のＩＰアドレス「ｘｘｘ．ｘｘｘ．ｘｘｘ．ｘｘｘ」を、リモート制御フラグ１−２にリモート制御を行うので「ＯＮ」を、中継＆サーバ装置１を中継して中継＆サーバ装置２に通信中継制御を行うため、転送先情報数１−３に「１」を指定する。
【００４２】
転送先ＩＰ１−５に中継＆サーバ装置２のＩＰアドレス「ｙｙｙ．ｙｙｙ．ｙｙｙ．ｙｙｙ」を、リモート制御フラグ１−６にリモート制御を行うので「ＯＮ」を、中継＆サーバ装置２を中継して中継＆サーバ装置３に通信中継制御を行うため、転送先情報数１−７に「１」を設定する。
【００４３】
転送先ＩＰ１−９に中継＆サーバ装置３のＩＰアドレス「ｚｚｚ．ｚｚｚ．ｚｚｚ．ｚｚｚ」を、リモート制御フラグ１−１０にリモート制御を行うので「ＯＮ」を、中継＆サーバ装置３は他の中継＆サーバ装置に対しての通信中継制御はしないため、転送先情報１−１１に「０」を設定する。
【００４４】
電文Ａの最後に中継＆サーバ装置１と中継＆サーバ装置２と中継＆サーバ装置３に対するリモート制御内容としてコマンド／ファイル識別１−１２に「コマンド」、コマンド／ファイルデータ１−１３に「ｌｓ」を指定する。
【００４５】
中継＆サーバ装置１は、クライアント装置０から受信した電文Ａを解析し、電文Ｂを作成して中継＆サーバ装置２に送信し、リモート制御のためｌｓコマンドを実施して終了する。
【００４６】
電文Ｂには、転送先ＩＰ１−５を転送先ＩＰ２−１に、リモート制御フラグ１−６をリモート制御フラグ２−２に、転送先情報数１−７を転送先情報数２−３に、転送先ＩＰ１−９を転送先２−７に、リモート制御フラグ１−１０をリモート制御フラグ２−８に、転送先情報数１−１１を転送先情報数２−９に、コマンド／ファイル識別１−１２をコマンド／ファイル識別２−４にコマンド／ファイルデータ１−１３をコマンド／ファイルデータ２−５に設定する。
【００４７】
中継＆サーバ装置２は、中継＆サーバ装置１から受信した電文Ｂを解析し、電文Ｃを作成して中継＆サーバ装置３に送信し、リモート制御のためｌｓコマンドを実施して終了する。
【００４８】
電文Ｃには、転送先ＩＰ２−７を転送先ＩＰ３−１に、リモート制御フラグ２−８をリモート制御フラグ３−２に、転送先情報数２−９を転送先情報数３−３に、コマンド／ファイル識別２−４をコマンド／ファイル識別３−４にコマンド／ファイルデータ２−５をコマンド／ファイルデータ３−５に設定する。
【００４９】
中継＆サーバ装置３は、中継＆サーバ装置２から受信した、電文Ｃを解析し、リモート制御のみが指定されているためｌｓコマンドを実施して終了する。
【００５０】
以上のように、本願発明の実施形態によれば、ネットワーク上の中継＆サーバ装置に対してクライアント装置から同一コマンド又は同一ファイル転送を１回の操作で実施することができる。
さらに、コマンド制御やファイル転送で通信されるデータは、クライアント装置と中継＆サーバ装置間、中継＆サーバ装置と中継＆サーバ装置間の接続が１つのソケット通信で接続されている場合には、複数の中継＆サーバ装置に対しても１つの中継＆サーバ装置を制御する情報量と同じになるため、ネットワークの負荷を軽減させることもできる。
【００５１】
【発明の効果】
以上のように、本発明によれば、ネットワークにおける複数のコンピュータへのコマンド制御又はファイル転送制御を１回の操作で容易に実施することができる。
【図面の簡単な説明】
【図１】本発明の実施形態を示すブロック図
【図２】送信データの概念を示す図
【図３】送信電文フォーマットを示す図
【図４】切替制御部の動作フローを示す図
【図５】接続＆リモート制御形態その１を示す図
【図６】接続＆リモート制御形態その２を示す図
【図７】接続＆リモート制御形態その３を示す図
【符号の説明】
０　　　　　　　　クライアント装置
０１　　　　　　　入出力制御部
０２　　　　　　　ファイル
０３　　　　　　　ファイル制御部
０４　　　　　　　通信クライアント制御部
１，２，３　　　　中継＆サーバ装置
１１，２１　　　　通信サーバ制御部
１２，２２　　　　切替制御部
１３，２３　　　　コマンド制御部
１４，２４　　　　通信中継制御部
１５，２５　　　　ファイル
１６，２６　　　　ファイル制御部
【図１】
2004013247.tif 000003
【図２】
2004013247.tif 000004
【図３】
2004013247.tif 000005
【図４】
2004013247.tif 000006
【図５】
2004013247.tif 000007
【図６】
2004013247.tif 000008
【図７】
2004013247.tif 000009